(57)【特許請求の範囲】
【請求項１】
ＳＩＢ１１送信周期にてＳＩＢ１１が送信される前の周期であるデフォルトページング周期において、ＥＴＷＳからの指示が含まれるページングメッセージとＳＩＢ１１スケジューリング情報が含まれるシステム情報ブロックＳＩＢ１とを送信することと、
前記ＳＩＢ１１送信周期ごとに、前記デフォルトページング周期の後にＳＩＢ１１を送信する前に、前記ＳＩＢ１をもう一度送信することと、
ＳＩＢ１１を送信する際に、前記ＳＩＢ１を送信せずに前記ＳＩＢ１１のみを送信することと、
を含む地震津波警報システムＥＴＷＳによる第２報配信方法。
【請求項２】
前記ＳＩＢ１１周期送信とは、ＳＩＢ１１送信周期ごとに１ラウンドのみＳＩＢ１１を送信することである請求項１に記載の方法。
【請求項３】
前記周期送信は、一番目のフラグメントからＳＩＢ１１の送信を開始し、システム情報（ＳＩ）周期ごとにフラグメントを１つのみ送信し、次のＳＩ周期に次のフラグメントを送信し、このようにして最後のフラグメントの送信まで繰り返すことを含む請求項１に記載の方法。
【請求項４】
前記ＳＩ周期の設定値は８０ｍｓ、１６０ｍｓ、３２０ｍｓである請求項３に記載の方法。
【請求項５】
ＳＩＢ１１送信周期にてＳＩＢ１１が送信される前の周期であるデフォルトページング周期において、ＥＴＷＳからの指示が含まれるページングメッセージ、ＳＩＢ１１スケジューリング情報が含まれるＳＩＢ１を送信し、前記ＳＩＢ１１送信周期ごとに、前記デフォルトページング周期の後にＳＩＢ１１を送信する前に、前記ＳＩＢ１をもう一度送信し、ＳＩＢ１１を送信する際に、前記ＳＩＢ１を送信せずに前記ＳＩＢ１１のみを送信するように構成される送信ユニットと、
１つのＳＩＢ１１送信周期をタイミングするように構成される第１タイミングユニットと、
１つのデフォルトページング周期をタイミングするように構成される第２タイミングユニットと、
を含むＥＴＷＳによる第２報配信装置。
【請求項６】
前記送信ユニットは、一番目のフラグメントからＳＩＢ１１の送信を開始し、ＳＩ周期ごとにフラグメントを１つのみ送信し、次のＳＩ周期に次のフラグメントを送信し、このようにして最後のフラグメントの送信まで繰り返すように構成される請求項５に記載の装置。
【請求項７】
前記ＳＩ周期の設定値は８０ｍｓ、１６０ｍｓ、３２０ｍｓである請求項６に記載の装置。
【請求項８】
請求項５〜７のいずれか１項に記載のＥＴＷＳによる第２報配信装置を含む発展型基地局ｅＮＢ。
【発明の詳細な説明】
【技術分野】
【０００１】
本発明は移動通信の分野の情報配信技術に関し、特に警報システム（ＥＴＷＳ：Ｅａｒｔｈｑｕａｋｅ  ａｎｄ  Ｔｓｕｎａｍｉ  Ｗａｒｎｉｎｇ  Ｓｙｓｔｅｍ）による第２報配信方法、装置及び発展型基地局（ｅＮＢ：ｅｖｏｌｖｅｄ  Ｎｏｄｅ  Ｂ）に関する。
【背景技術】
【０００２】
従来、地上波公共移動通信ネットワーク（ＰＬＭＮ：Ｐｕｂｌｉｃ  Ｌａｎｄ  Ｍｏｂｉｌｅ  Ｎｅｔｗｏｒｋ）事業者は、ロング・ターム・エボリューション（ＬＴＥ：Ｌｏｎｇ  Ｔｅｒｍ  Ｅｖｏｌｕｔｉｏｎ）ネットワークに基づくＥＴＷＳシステムによってユーザに地震津波警報の配信サービスを提供し、従来のＰＬＭＮ事業者が運用するＬＴＥ向けＥＴＷＳのネットワーク構造の模式図は、図１に示される。ＬＴＥに従ったＥＴＷＳは、通常、ｅＮＢ、移動性管理エンティティ（ＭＭＥ：Ｍｏｂｉｌｉｔｙ  Ｍａｎａｇｅｍｅｎｔ  Ｅｎｔｉｔｙ）、セル報知センター（ＣＢＣ：Ｃｅｌｌ  Ｂｒｏａｄｃａｓｔ  Ｃｅｎｔｒａｌ）及びセル報知エンティティ（ＣＢＥ：Ｃｅｌｌ  Ｂｒｏａｄｃａｓｔ  Ｅｎｔｉｔｙ）が含まれるものである。
【０００３】
従来のＥＴＷＳの各関連ネットワークエレメントをトリガーするメッセージ交換シーケンスは、図２に示される。ＥＴＷＳによる警報通知の実現プロセスは、ＣＢＥから警報メッセージを送信し、前記警報メッセージｅがＣＢＣ及びＭＭＥを介してｅＮＢに到達し、前記ｅＮＢは、警報メッセージの識別子に基づいて前記警報メッセージが第１報であるかそれとも第２報であるかを判断し、第１報である場合、システム情報ブロックタイプ１０（ＳＩＢ１０：Ｓｙｓｔｅｍ  Ｉｎｆｏｒｍａｔｉｏｎ  Ｂｌｏｃｋ  Ｔｙｐｅ１０）を放送することによって、受信した警報メッセージを送信し、第２報である場合、システム情報ブロックタイプ１１（ＳＩＢ１１）を放送することによって、受信した警報メッセージを送信する。つまり、ＳＩＢ１０を放送することによって送信される警報メッセージが第１報（Ｐｒｉｍａｒｙ  Ｎｏｔｉｆｉｃａｔｉｏｎ）であり、ＳＩＢ１１を放送することによって送信される警報メッセージが第２報（Ｓｅｃｏｎｄａｒｙ  Ｎｏｔｉｆｉｃａｔｉｏｎ）であることが含まれる。なお、第１報は、地震、津波がまもなく発生することを通知するものであり、第２報は、災害発生後の情報、例えばどこに食物や水を入手できるか等を通知するものであり、通知を受信したユーザ端末（ＵＥ：Ｕｓｅｒ  Ｅｑｕｉｐｍｅｎｔ）は、文字、音声、振動等によって地震や津波の警報情報をユーザに通知するものである。
【０００４】
従来技術では、ｅＮＢからＵＥにＥＴＷＳによる第２報配信方式として、ｅＮＢは、ＭＭＥによって送信した警報メッセージを受信し、前記警報メッセージがＥＴＷＳの第２報である場合、ＥＴＷＳからの指示が含まれるページングメッセージ、ＳＩＢ１１スケジューリング情報が含まれるＳＩＢ１及びＳＩＢ１１メッセージを送信する。このような配信方式によれば、ＥＴＷＳからの指示が含まれるページングメッセージ、ＳＩＢ１及びＳＩＢ１１は、ＳＩＢ１１全体の送信が終了するまで繰り返し送信されるため、帯域幅を無駄に消費するという欠点が存在する。
【発明の概要】
【発明が解決しようとする課題】
【０００５】
これに鑑み、本発明の実施例は、帯域幅を節約してＳＩＢ１１の送信回数を大幅に減少させるとともに、ＵＥがＳＩＢ１１全体を受信することを確保できるＥＴＷＳによる第２報配信方法、装置及びｅＮＢを提供する。
【課題を解決するための手段】
【０００６】
上記目的を実現するために、本発明の技術的手段は以下のように実現される。
ＳＩＢ１１送信周期にてＳＩＢ１１が送信される前の周期であるデフォルトページング周期において、ＥＴＷＳからの指示が含まれるページングメッセージとＳＩＢ１１スケジューリング情報が含まれるシステム情報ブロックＳＩＢ１とを送信し、
前記デフォルトページング周期の後に、一度、前記ＳＩＢ１を別送し、
ＳＩＢ１１の送信周期において、前記ＳＩＢ１を送信せずに前記ＳＩＢ１１のみを送信する。
【０００７】
上記態様では、前記ＳＩＢ１１周期送信とは、１つのＳＩＢ１１送信周期において１ラウンドのみＳＩＢ１１を送信することである。
【０００８】
上記態様では、前記ＳＩＢ１１送信周期は、ＥＴＷＳ警報メッセージにおける繰返し周期的セルによって担持される。
【０００９】
上記態様では、前記周期送信は、一番目のフラグメントからＳＩＢ１１の送信を開始し、各ＳＩ（システム情報）周期ごとに１つのフラグメントのみを送信し、次のＳＩ周期で次のフラグメントを送信し、このようにして最後のフラグメントの送信まで繰り返すことが含まれる。
【００１０】
上記態様では、前記ＳＩ周期の設定値は８０ｍｓ、１６０ｍｓ、３２０ｍｓである。
【００１１】
本発明の実施例は、
ＳＩＢ１１送信周期にてＳＩＢ１１が送信される前の周期であるデフォルトページング周期において、ＥＴＷＳからの指示が含まれるページングメッセージと、ＳＩＢ１１スケジューリング情報が含まれるＳＩＢ１とを送信し、前記デフォルトページング周期の後に、一度、前記ＳＩＢ１を別送し、ＳＩＢ１１の送信周期において、前記ＳＩＢ１を送信せずに前記ＳＩＢ１１しのみを送信するように構成される送信ユニットと、
１つのＳＩＢ１１送信周期をタイミングするように構成される第１タイミングユニットと、
１つのデフォルトページング周期をタイミングするように構成される第２タイミングユニットと、が含まれるＥＴＷＳによる第２報配信装置を更に提供するものである。
【００１２】
上記態様では、前記ＳＩＢ１１送信周期は、ＥＴＷＳ警報メッセージにおける繰返し周期的セルによって担持される。
【００１３】
上記態様では、前記送信ユニットは、第１のＳＩＢ１１送信周期において１ラウンドのＳＩＢ１１送信及び前記ＳＩＢ１１周期送信を完了させることに用いられ、下記のようなプロセスが含まれるものである。一番目のフラグメントからＳＩＢ１１の送信を開始し、各ＳＩ周期ごとに１つのフラグメントのみを送信し、次のＳＩ周期に次のフラグメントを送信し、このようにして最後のフラグメントの送信繰り返すことが含まれる。
【００１４】
上記態様では、前記ＳＩ周期の設定値は８０ｍｓ、１６０ｍｓ、３２０ｍｓである。
【００１５】
本発明の実施例は、上記ＥＴＷＳによる第２報配信装置が含まれるｅＮＢを更に提供する。
【発明の効果】
【００１６】
本発明の実施例に係るＥＴＷＳによる第２報配信方法、装置及びｅＮＢは、第１のＳＩＢ１１送信周期においてＳＩＢ１１が送信される前に、ＥＴＷＳからの指示が含まれるページングメッセージとＳＩＢ１１スケジューリング情報が含まれるＳＩＢ１とを予め送信し、１つのデフォルトページング周期で繰り返した後、ＳＩＢ１１スケジューリング情報が含まれるＳＩＢ１を一度再送してから、第１のＳＩＢ１１送信周期における１ラウンドのＳＩＢ１１送信を完成し、第２のＳＩＢ１１送信周期からＳＩＢ１１の周期送信を開始する。このようにして、帯域幅を節約してＳＩＢ１１送信回数を大幅に減少させるとともに、ＵＥがＳＩＢ１１全体を受信することを確保でき、ＥＴＷＳの信頼性を更に向上させる。
【図面の簡単な説明】
【００１７】
【図１】従来のＰＬＭＮ事業者が運用するＬＴＥネットワーク向けＥＴＷＳシステムのネットワーク構造の模式図である。
【図２】従来のＥＴＷＳの各関連ネットワークエレメントをトリガーするメッセージ交換シーケンス図である。
【図３】本発明の実施例に係るＥＴＷＳによる第２報配信方法の実現フローチャートである。
【図４】本発明の実施例に係るＥＴＷＳによる第２報配信装置の構造模式図である。
【図５】本発明の実施例に係るＥＴＷＳによる第２報配信方法の具体的な実現フローチャートである。
【図６】本発明の実施例に係るｅＮＢがＥＴＷＳメッセージを受信した後、ＥＴＷＳからの指示が含まれるページングメッセージ、ＳＩＢ１１スケジューリング情報が含まれるＳＩＢ１及びＳＩＢ１１を送信する工程の模式図である。
【発明を実施するための形態】
【００１８】
具体的な適用について、ｅＮＢからＵＥにＥＴＷＳによる第２報を送信する時に、周期送信方式によって帯域幅の無駄を減少し得るが、周期送信方式では、１周期ごとに１ラウンドのみＳＩＢ１１を送信するため、ｅＮＢがＳＩＢ１１を送信したが、ＵＥがＥＴＷＳからの指示が含まれるページングメッセージを受信していない場合もあるから、周期送信方式のみを採用すると信頼性の面で問題がある。従って、ｅＮＢからＵＥにＥＴＷＳによる第２報メッセージの配信プロセスにおいて、ｅＮＢによってＥＴＷＳからの指示が含まれるページングメッセージ、ＳＩＢ１１スケジューリング情報が含まれるＳＩＢ１及びＳＩＢ１１を送信するタイミングを適当に制御する。
【００１９】
本発明の実施例では、前記警報メッセージがＥＴＷＳによる第２報である場合、第１のＳＩＢ１１送信周期においてＳＩＢ１１が送信される前に、ＥＴＷＳからの指示が含まれるページングメッセージとＳＩＢ１１スケジューリング情報が含まれるＳＩＢ１とを予め送信し、１つのデフォルトページング周期で繰り返した後、ＳＩＢ１１スケジューリング情報が含まれるＳＩＢ１を一度再送し、その後、第１のＳＩＢ１１送信周期における１ラウンドのＳＩＢ１１送信を完成し、第２のＳＩＢ１１送信周期からＳＩＢ１１の周期送信を開始する。
【００２０】
ここで、ｅＮＢがＥＴＷＳ警報メッセージを受信した時からＳＩＢ１１の送信が終了するまで、ＥＴＷＳからの指示が含まれるページングとＳＩＢ１１スケジューリング情報が含まれるＳＩＢ１が送信され続ける。
【００２１】
以下、図面及び具体的な実施例を参照しながら本発明をより詳しく説明する。
【００２２】
図３は本発明の実施例に係るＥＴＷＳによる第２報配信方法の実現フローチャートであり、図３に示されるように、以下のステップが含まれる。
【００２３】
ステップＳ１００：警報メッセージがＥＴＷＳの第２報である場合、ｅＮＢが、ＳＩＢ１１送信周期にてＳＩＢ１１が送信される前の周期であるデフォルトページング周期において、ＥＴＷＳからの指示が含まれるページングメッセージとＳＩＢ１１スケジューリング情報が含まれるＳＩＢ１とを送信する。
ここで、前記ＳＩＢ１１送信周期は、ＥＴＷＳ警報メッセージにおける繰返し周期的セルによって担持され、ＳＩＢ１１送信周期はいずれも秒間レベルである。
【００２４】
ステップＳ１０１：前記デフォルトページング周期の後に、一度、前記ＳＩＢ１を別送する。
【００２５】
ステップＳ１０２：ＳＩＢ１１の送信周期において、前記ＳＩＢ１を送信せずに前記ＳＩＢ１１のみを送信する。
上記ステップＳ１０２について、具体的に、第１のＳＩＢ１１送信周期において、前記ＳＩＢ１を送信せずに前記ＳＩＢ１１のみを周期送信し、且つ、第２のＳＩＢ１１送信周期において、同様に前記ＳＩＢ１を送信せずにＳＩＢ１１のみを周期送信する。
【００２６】
好ましくは、より多くのＳＩＢ１１送信周期がある場合は、他のＳＩＢ１１送信周期においても同様に前記ＳＩＢ１を送信せずにＳＩＢ１１のみを周期送信する。
【００２７】
ここで、前記ＳＩＢ１１周期送信とは、ＳＩＢ１１送信周期ごとに１ラウンドのみＳＩＢ１１を送信することである。
【００２８】
前記ＳＩＢ１１送信周期において前記ＳＩＢ１１のみを送信することは、具体的に下記のようなプロセスが含まれる。一番目のフラグメントからＳＩＢ１１の送信を開始し、各システム情報（ＳＩ：Ｓｙｓｔｅｍ  Ｉｎｆｏｒｍａｔｉｏｎ）周期ごとに１つのみのフラグメントを送信し、次のＳＩ周期に次のフラグメントを送信し、このようにして最後のフラグメントの送信まで繰り返すことが含まれる。
【００２９】
ここで、ＳＩ周期はＳＩＢ自体の送信周期であり、各ＳＩ周期ごとにはＳＩウィンドウを１つのみ含み、各ＳＩ周期ごとにＳＩＢ１１のフラグメントを１つのみ送信し、ＳＩ周期の設定値は８０ｍｓ、１６０ｍｓ、３２０ｍｓ等であってもよい。
【００３０】
図４は本発明の実施例に係るＥＴＷＳによる第２報配信装置の構造模式図であり、図４に示されるように、本発明に係るＥＴＷＳによる第２報配信装置は、送信ユニット１０、第１タイミングユニット１１、及び第２タイミングユニット１２が含まれるものであり、
前記送信ユニット１０は、ＳＩＢ１１送信周期にてＳＩＢ１１が送信される前の周期であるデフォルトページング周期において、ＥＴＷＳからの指示が含まれるページングメッセージとＳＩＢ１１スケジューリング情報が含まれるＳＩＢ１とを送信した後、一度、前記ＳＩＢ１を別送し、ＳＩＢ１１の送信周期において、前記ＳＩＢ１を送信せずに前記ＳＩＢ１１のみを送信することに用いられ、
ここで、前記ＳＩＢ１１周期送信とは、ＳＩＢ１１送信周期ごとに１ラウンドのみＳＩＢ１１を送信することである。
【００３１】
ここで、前記送信ユニット１０は、前記第１のＳＩＢ１１送信周期において１ラウンドのＳＩＢ１１送信及び前記ＳＩＢ１１周期送信を完了させることに用いられ、具体的には下記のようなプロセスが含まれるものである。一番目のフラグメントからＳＩＢ１１の送信を開始し、ＳＩ周期ごとにフラグメントを１つのみ送信し、次のＳＩ周期に次のフラグメントを送信し、このようにして最後のフラグメントの送信まで繰り返すことが含まれる。
【００３２】
ＳＩ周期はＳＩＢ自体の送信周期であり、ＳＩ周期ごとにはＳＩウィンドウを１つのみ含み、ＳＩ周期ごとにＳＩＢ１１のフラグメントを１つのみ送信し、ＳＩ周期の設定値は８０ｍｓ、１６０ｍｓ、３２０ｍｓ等であってもよい。
【００３３】
前記第１タイミングユニット１１は、１つのＳＩＢ１１送信周期をタイミングするためのものである。
【００３４】
ここで、前記ＳＩＢ１１送信周期はＥＴＷＳ警報メッセージにおける繰返し周期的セルによって担持され、ＳＩＢ１１送信周期はいずれも秒間レベルである。
【００３５】
前記第２タイミングユニット１２は、１つのデフォルトページング周期をタイミングするためのものである。
【００３６】
具体的な適用について、前記送信ユニット１０は、ｅＮＢにおける中央処理装置（ＣＰＵ）、マイクロプロセッサー（ＭＰＵ）、デジタル信号プロセッサー（ＤＳＰ）、又はフィールドプログラマブルゲートアレイ（ＦＰＧＡ）によって構成され、前記第１タイミングユニット１１と前記第２タイミングユニット１２とはいずれもタイマーによって構成されることが可能である。
【００３７】
前記ＥＴＷＳによる第２報配信装置は、ｅＮＢに取り付けられてもよいので、本発明の実施例は、更にｅＮＢを提供する。前記ｅＮＢは、ＥＴＷＳによる第２報配信装置を含み、前記ＥＴＷＳによる第２報配信装置の具体的な構成、及び各構成の機能については、図２に示される構成および上記機能と同様である。
【００３８】
図５は本発明の実施例に係るＥＴＷＳによる第２報配信方法の具体的な実現フローチャートであり、前記方法は以下のステップが含まれる。
【００３９】
ステップＳ２００：ｅＮＢは、ＭＭＥが送信した警報の書き差替え請求を受信した後、データエンコード方式又は警報メッセージが含まれる内容セルが第２報であると判断すると、第１タイミングユニット１１を起動させる。
ここで、前記警報の書き差替え請求はＥＴＷＳ警報メッセージである。
ここで、第１タイミングユニット１１は、１つのＳＩＢ１１送信周期をタイミングするためのものであり、ＳＩＢ１１送信周期は、ＥＴＷＳ警報メッセージにおける繰返し周期的セルによって担持され、ＳＩＢ１１送信周期はいずれも秒間レベルである。
【００４０】
ステップＳ２０１：ｅＮＢは、第１のＳＩＢ１１送信周期にてＳＩＢ１１が送信される前に、ＥＴＷＳからの指示が含まれるページングメッセージとＳＩＢ１１スケジューリング情報が含まれるＳＩＢ１とを送信し、１つのデフォルトページング周期で繰り返す。
ここで、１つのデフォルトページング周期は、第２タイミングユニット１２によってタイミングされる。
更に、ｅＮＢがＥＴＷＳ警報メッセージを受信した時からＳＩＢ１１全体を送信するまで、ＥＴＷＳからの指示が含まれるページングとＳＩＢ１１スケジューリング情報が含まれるＳＩＢ１が送信され続ける。
ここで、ＵＥは、ＥＴＷＳからの指示が含まれるページングメッセージを受信した後、最も近いＳＩＢ１送信時刻にＳＩＢ１１スケジューリング情報が含まれるＳＩＢ１をすぐに受信する。ＵＥは、基地局システムメッセージにおけるＳＩＢ１のスケジューリング情報リストに基づき、前記基地局システムメッセージにおけるＥＴＷＳの第２報が含まれるＳＩＢ１１を受信する。
【００４１】
ステップＳ２０２：ＳＩＢ１１スケジューリング情報が含まれるＳＩＢ１を一度再送する。
ここで、前記のＳＩＢ１１スケジューリング情報が含まれるＳＩＢ１を一度再送することにより、セルに属するすべてのＵＥが、ＳＩＢ１１スケジューリング情報が含まれるＳＩＢ１を受信してＳＩＢ１１の受信準備を開始することを確保できる。
【００４２】
ステップＳ２０３：第１のＳＩＢ１１送信周期に１ラウンドのＳＩＢ１１送信を完了させる。
具体的には、一番目のフラグメントからＳＩＢ１１の送信を開始し、ＳＩ周期ごとにフラグメントを１つのみ送信し、次のＳＩ周期に次のフラグメントを送信し、このようにして最後のフラグメントの送信まで繰り返すと、該ＳＩＢ１１送信周期でこれ以上ＳＩＢ１１の送信をしなく、次のＳＩＢ１１送信周期に入ると、一番目のフラグメントから送信し始めるように次のラウンドのＳＩＢ１１送信を開始する。
【００４３】
ステップＳ２０４：第１タイミングユニット１１がタイムアウトすると、次のＳＩＢ１１送信周期に入り、改めて第１タイミングユニット１１を設定し、十分の周期数でＳＩＢ１１を送信するまでステップＳ２０３の工程を繰り返してから、ステップＳ２０５を実行する。
ここで、前記次のＳＩＢ１１送信周期は、ＥＴＷＳからの指示が含まれるページングメッセージとＳＩＢ１１スケジューリング情報が含まれるＳＩＢ１を予め送信する必要がなく、ＳＩＢ１１を直ちに送信しても良い。
ここで、ＳＩＢ１１送信周期数は警報の書き差替え請求メッセージにおける放送請求セルの数である。
【００４４】
ステップＳ２０５：ＥＴＷＳからの指示が含まれるページングメッセージ、ＳＩＢ１１スケジューリング情報が含まれるＳＩＢ１及びＳＩＢ１１の送信を停止し、その際、ＳＩＢ１の内容が、ＳＩＢ１１スケジューリング情報が含まれていないＳＩＢ１に更新される。
【００４５】
ステップＳ２０６：ＳＩＢ１１送信が停止した後、ＳＩ更新指示が含まれるページングメッセージを１つの修正周期で送信し、ＳＩＢ１１スケジューリング情報が含まれていないＳＩＢ１を受信することを、ＵＥに通知する。
ここで、ＳＩ更新指示が含まれるページングメッセージの送信開始時刻から修正周期の境界までの間隔が１つのデフォルトページング周期より長いと、本修正周期が終了するまでＳＩ更新指示が含まれるページングメッセージを送信すればよく、ＳＩ更新指示が含まれるページングメッセージの送信開始時刻から修正周期の境界までの間隔が１つのデフォルトページング周期未満であると、ＳＩ更新指示が含まれるページングメッセージを１つのページング修正周期を追加して送信する必要があり、即ち次の修正周期が終了するまで送信する。
【００４６】
以上説明したことから分かるであろうが、ＥＴＷＳからの指示が含まれるページングメッセージの送信開始時刻について特に制限がなく、ページング修正周期の境界で送信を開始する必要がなく、ＳＩＢ１１の送信開始時刻がページング修正周期の境界から始まる必要もなく、ＳＩＢ１１の送信を開始する前に予め少なくとも１つのデフォルトページング周期でＥＴＷＳからの指示が含まれるページングメッセージを送信することを確保すればよい。
【００４７】
図５及び上記図５に記載のＥＴＷＳによる第２報配信方法の具体的な実現フローチャートに基づき、本発明の実施例において、ｅＮＢがＥＴＷＳメッセージを受信した後、ＥＴＷＳからの指示が含まれるページングメッセージ、ＳＩＢ１１スケジューリング情報が含まれるＳＩＢ１及びＳＩＢ１１を送信するプロセスは図６に示されており、具体的には、
順に、一番目のフラグメント、即ちフラグメント０から最後のフラグメントまでＳＩＢ１１を送信し、１ラウンドのＳＩＢ１１送信を完了させる。
【００４８】
図６において、Ｐ１、Ｐ２はそれぞれＳＩＢ１１送信周期１とＳＩＢ１１送信周期２であり、以下同様に、ｓ０、ｓ１はそれぞれＳＩＢ１１のフラグメント０とフラグメント１であり、ｓｎはＳＩＢ１１の最後のフラグメントである。
【００４９】
Ｔ０は、ｅＮＢがＥＴＷＳメッセージを受信した後にＥＴＷＳページングメッセージとＳＩＢ１１スケジューリング情報が含まれるＳＩＢ１とを送信する時刻であると共に、Ｐ１の開始時刻でもある。
【００５０】
Ｔ１は、Ｐ１の期間において、１つのデフォルトページング周期ｔでページングメッセージとＳＩＢ１を予め送信した後に、ＳＩＢ１をもう一度送信する時刻であり、この時刻からＳＩＢ１１の送信を開始し、即ち順に、一番目のフラグメントｓ０から最後のフラグメントｓｎまでＳＩＢ１１を送信し、１ラウンドのＳＩＢ１１送信を完了させ、次にＳＩＢ１１送信周期Ｐ２において更に１ラウンドのＳＩＢ１１送信をする。
【００５１】
Ｔ２はＳＩＢ１１停止時刻であり、即ち十分の周期数でＳＩＢ１１を送信した後、ＥＴＷＳページングメッセージ、ＳＩＢ１１スケジューリング情報が含まれるＳＩＢ１及びＳＩＢ１１の送信が停止し、１つの修正周期でＳＩ更新ページングの送信を開始して、ＳＩＢ１１スケジューリング情報が含まれていないＳＩＢ１の時刻を更新することを、ＵＥに通知する。
【００５２】
図６において、ＳＩＢ１１送信周期Ｐ１とＳＩＢ１１送信周期Ｐ２において、いずれも１ラウンドのみＳＩＢ１１を送信する。これは本発明の一実施形態に過ぎず、具体的な適用の場合、チャネルリソース及び信頼性に対するニーズに応じてＳＩＢ１１を２ラウンド以上送信してもよい。
【００５３】
以上は、本発明の好適な実施例に過ぎず、本発明の保護範囲を限定するものではない。
【図１】
0006401271.tif 000002
【図２】
0006401271.tif 000003
【図３】
0006401271.tif 000004
【図４】
0006401271.tif 000005
【図５】
0006401271.tif 000006
【図６】
0006401271.tif 000007